(57)【特許請求の範囲】
【請求項１】
可撓性平型ケーブルの端末が導入された雄コネクタと、該雄コネクタを内嵌可能な雌コネクタとからなる防水コネクタであって、
上記雄コネクタは可撓性平型ケーブルの先端に並列配置される複数のと導体に夫々溶着されたバスバーと、該バスバーおよび可撓性平型ケーブルの端末部を覆うようにしてモールド成形した偏平薄型の雄ハウジングとからなると共に、該雄ハウジングの一面に上記バスバーの接触部を露出させる開口部を形成し、
上記雌コネクタは上記雄コネクタが内嵌されたとき上記バスバーの接触部に上記開口部を通して接触可能な弾性接触片を有する端子金具と、該端子金具を覆う雌ハウジングとからなり、
上記雌ハウジングと雄ハウジングとの間には、両者を嵌合状態で係止するロック手段を設けると共に、上記雌ハウジングの内面と雄ハウジングの外面との間には防水用ゴムリングを介在してなることを特徴とする可撓性平型ケーブル用防水コネクタ。
【請求項２】
上記可撓性平型ケーブルと雄ハウジングとの境界部に接着剤を介在している請求項１に記載の可撓性平型ケーブル用防水コネクタ。
【請求項３】
上記雄ハウジングには、上記バスバーの接触部を露出させる開口部を覆う蓋体を上記雌コネクタへの嵌合方向に沿って開閉可能に設ける一方、上記雌ハウジングの内部には上記雄コネクタの嵌合に伴ない上記蓋体に当接して、該蓋体を開き方向へ移動させる当接片を突設している請求項１又は請求項２に記載の可撓性平型ケーブル用防水コネクタ。
【発明の詳細な説明】
【０００１】
【発明の属する技術分野】
本発明は、可撓性平型ケーブル用防水コネクタに関し、詳しくは可撓性平型ケーブル用のコネクタを簡易な構造により防水化できるようにしたものである。
【０００２】
【従来の技術】
従来、ＦＰＣ（可撓性プリント基板）やフラットケーブル等の可撓性平型導体が接続された防水コネクタとしては、特開平２０００−５８１８５号公報に記載のものが知られている。この防水コネクタ１は、図７に示すように、端末に端子金具２を接続したＦＰＣ３と、端子金具２が挿入される開口部４ａを有するハウジング本体４と、開口部４ａを覆う蓋体５から成っている。そして、ＦＰＣ３を挟み込んだハウジング本体４と蓋体５との間にシール部材６を介在させてハウジング本体４を防水する構造としている。
【０００３】
【発明が解決しようとする課題】
上記防水コネクタ１においては、ＦＰＣ３の先端に通常のコネクタ間の接続に用いられる端子金具２が使用され、相手側コネクタとの間の嵌合および防水構造も通常の電線用のコネクタと同様の構造となるため、ＦＰＣ用のコネクタにも拘わらずコネクタ自体が大型化するという問題がある。そして、ＦＰＣ３の導入部分の防水構造として、ハウジング本体４と蓋体５の間にシール部材６を介在した構成を採用しているため、構造が複雑化していた。
【０００４】
本発明は上記した問題に鑑みてなされたもので、簡単な構造で小型化が可能な可撓性平型ケーブル用の防水コネクタを提供することを目的としている。
【０００５】
【課題を解決するための手段】
上記課題を解決するため、本発明は、可撓性平型ケーブルの端末が導入された雄コネクタと、該雄コネクタを内嵌可能な雌コネクタとからなる防水コネクタであって、
上記雄コネクタは可撓性平型ケーブルの先端に並列配置される複数のと導体に夫々溶着されたバスバーと、該バスバーおよび可撓性平型ケーブルの端末部を覆うようにしてモールド成形した偏平薄型の雄ハウジングとからなると共に、該雄ハウジングの一面に上記バスバーの接触部を露出させる開口部を形成し、
上記雌コネクタは上記雄コネクタが内嵌されたとき上記バスバーの接触部に上記開口部を通して接触可能な弾性接触片を有する端子金具と、該端子金具を覆う雌ハウジングとからなり、
上記雌ハウジングと雄ハウジングとの間には、両者を嵌合状態で係止するロック手段を設していることを特徴とする
を介在してなることを特徴とする可撓性平型ケーブル用防水コネクタを提供している。
【０００６】
上記構成によれば、雄ハウジングに導入される可撓性平型ケーブルの端末がモールド成形により雄ハウジングと一体化されているため、シールリング等を介在して防水を図るものに比べ、雄コネクタ自体の小型化を図ることができると共に、構造を簡素化することができる。雄コネクタと雌コネクタとの間の端子間の接続は、可撓性平型ケーブルに接続されたバスバーと雌コネクタの内部に設けた端子金具の弾性接触片とを接触させる構成としたので、両コネクタ自体を薄型とすることができる。
【０００７】
より具体的には、上記可撓性平型ケーブルと雄ハウジングとの境界部に接着剤を介在するのが好ましい。このようにすれば、可撓性平型ケーブルの雄ハウジングへの導入部分の防水性を一層向上させることができる。
【０００８】
更に、上記雄ハウジングには、上記バスバーの接触部を露出させる開口部を覆う蓋体を上記雌コネクタへの嵌合方向に沿って開閉可能に設ける一方、
上記雌ハウジングの内部には上記雄コネクタの嵌合に伴ない上記蓋体に当接して、該蓋体を開き方向へ移動させる当接片を突設している。このように構成すれば、雄雌コネクタの嵌合前においては、雄ハウジングの開口部を蓋体で覆うことができるため、バスバーへの異物干渉による損傷を防止できる。一方、雄雌コネクタの嵌合時には、蓋体が当接片に当接することで開口部が自動的に開かれてバスバーを相手側の端子金具に対し接触可能な状態とすることができる。
【０００９】
【発明の実施の形態】
以下、本発明の実施形態を図面を参照して説明する。
図１〜図４は、本発明の防水コネクタの第１実施形態を示し、この防水コネクタ１１は、ＦＰＣ、フラットケーブル等の可撓性平型ケーブルＣが導入される雄コネクタ１２と、機器側にとりつけられ、雄コネクタ１２を内嵌可能な雌コネクタ１７とから構成している。
【００１０】
雄コネクタ１２は、可撓性平型ケーブルＣの先端に接続された金属板からなるバスバーＢと、このバスバーＢおよび可撓性平型ケーブルＣの端末部を覆うようにしてモールド成形した合成樹脂製の扁平薄型の雄ハウジング１３とからなっている。雄ハウジング１３をモールド成形する前に、先ず、図３に示すように、可撓性平型ケーブルＣの先端部で並列配置される複数の導体部Ｃａに対し、各々対応させるようにして複数並列したバスバーＢを溶着により一体化している。その後、可撓性平型ケーブルＣの端末部に接着剤１４を塗布すると共に、バスバーＢおよび可撓性平型ケーブルＣの端末部を雄ハウジング１３成形用の金型内に配置し、バスバーＢに接続された可撓性平型ケーブルＣの端末部を封じ込めるようにしてモールド成形するようにしている。
【００１１】
モールド成形される雄ハウジング１３は、可撓性平型ケーブルＣの導入部１３ａに接着材１４が介在されることにより、防水性が確保されて内部への水の浸入が防止される。また、バスバーＢは雄ハウジング１３の先端方まで導入され、雄ハウジング１３の上面には導入されたバスバーＢ上面の接触部Ｂａを露出させるための開口部１３ｂを形成している。更に、開口部１３ｂを覆う別体の蓋体１５を設けると共に、この蓋体１５を開口部１３ｂの両側に内壁に設けたガイド溝１３ｃにスライド可能に嵌合し、雌コネクタ１７への嵌合方向に沿って蓋体１５をスライドさせることにより開口部１３ｂを開閉可能としている。また、蓋体１５の上面内方位置には、蓋体１５の閉鎖状態において、開口部１３ｂの内方開口縁１３ｄと係合するストッパ１５ａを突設し、雌コネクタ１７への雄コネクタ１２の嵌合前において蓋体１５を閉鎖状態に保持させるようにし、蓋体１５の先端縁が押圧されたとき、ストッパ１５ａの係合が解除されるようになっている。
【００１２】
また、雄ハウジング１３の上面後部には、中間部を支点１６ａとしてシーソー状に弾性揺動可能なロックアーム１６を突設している。そして、ロックアーム１６の後端部を操作部１６ｂとすると共に、前端部に係止孔１６ｃを形成し、操作部１６ｂを押圧することにより係止孔１６ｃの形成された前端部を上方へ揺動させて、後述する雌コネクタ１７の係止突起１７ａとの係合状態を解除操作可能としている。
【００１３】
雌コネクタ１７は、機器側のパネルＰに取り付けたフード状の雌ハウジング１８と、この雌ハウジング１８内に一端が導入され、他端が基板１９に接続された端子金具２０とからなっている。この端子金具２０は、雄コネクタ１２のバスバーＢの配列に対応して複数設けられ、雌ハウジング１８内に導入された一端には、下方へ折り返し状に屈曲され、雌コネクタ１７に雄コネクタ１２が内嵌されたとき、バスバーＢの上面に弾性的に接触可能な弾性接触片２０ａを形成している。雌ハウジング１８の内部には、雄コネクタ１２の嵌合時に蓋体１５に当接して蓋体１５を開き方向へ強制的に移動させる当接片１８ａを突設している。
【００１４】
また、雌ハウジング１８の外面上部には、雄コネクタ１２の嵌合時にロックアーム１６の係止孔１６ｃが係合して雄コネクタ１２の抜き方向への移動を規制する係止突起１７ａを突設し、係止孔１６ｃと係止突起１７ａとにより雄コネクタ１２、雌コネクタ１７の嵌合状態を係止保持するロック手段としている。更に、雌ハウジング１８の内周には、雄コネクタ１２の嵌合時に、雄ハウジング１３の外周面との間に密着状に介在される防水用ゴムリング２１を配置している。この防水用ゴムリング２１は、内外周に複数の突条２１ａが周設され、雌ハウジング１８の外周に形成した止め孔１８ｂに係止突部２１ｂを嵌入することで、雌ハウジング１８に固定するようにしている。
【００１５】
上記構成からなる防水コネクタ１１によれば、雌コネクタ１７に対し雄コネクタ１２を内嵌させるようにして挿入すると、先ず、雄ハウジング１３の開口部１３ｂを閉塞している蓋体１５の先端部が雌ハウジング１８内の当接片１８ａに当接することによって蓋体１５が嵌合方向と反対方向に押しやられる。この結果、開口部１３ｂが開放されてバスバーＢの上面が露出すると同時に、端子金具２０の弾性接触片２０ａが対応する各バスバーＢの接触部Ｂａに接触して雄コネクタ１２、雌コネクタ１７間に電気的接続がなされる。そして、雄ハウジング１３と雌ハウジング１８とは、防水用ゴムリング２１が介在された完全防水状態で嵌合されると共に、ロックアーム１６の先端部が雌コネクタ１７の係止突起１７ａを乗り越えて係止孔１６ｃと係止突起１７ａが係合することで、両コネクタ１２、１７は抜け止め状態の保持される。なお、雌コネクタ１７から雄コネクタ１２を取り外すときは、ロックアーム１６の操作部１６ｂを押し下げて係止孔１６ｃへの係止突起１７ａの係合状態を解除した後、雄コネクタ１２を引きぬきことで容易に分離することができる。
【００１６】
図５、図６は、防水コネクタ３１の第２実施形態を示し、本実施形態では、防水用ゴムリング４１を雄ハウジング３３の外周に凹設した周溝３３ｅに嵌入固定し、雌コネクタ３７への雄コネクタ３２の嵌合操作時に防水用ゴムリング４１の外周を雌ハウジング３８の内周に密着させるようにしている。このようにすることで、雄ハウジング３３への防水用ゴムリング４１の取付操作を容易に行うことができる。なお、その他の構成は、第１実施形態と同様のため、同一符号を付してその説明を省略する。
【００１７】
なお、上記各実施形態において、雌コネクタ１７、３７としてパネルＰに取り付けた機器用のものを示したが、単体のコネクタであってもよい。また、モールドされた可撓性平型ケーブルＣの端部と雄ハウジング１３、３３との間には、接着材１４を介在させた例を示したが、可撓性平型ケーブルＣを直接雄ハウジング１３、３３で覆うようにしてもよい。
【００１８】
【発明の効果】
上記のように、本発明によれば、雄コネクタは、可撓性平型ケーブルの端末にバスバーを溶着したものを雄ハウジングにモールドした構成とし、相手側の雌コネクタの端子金具との接続をバスバー介して行うようにしているので、コネクタ自体の小型化および構造の簡素化を図ることができる。
【図面の簡単な説明】
【図１】  本発明の第１実施形態の防水コネクタを示す断面図である。
【図２】  雄コネクタを示す斜視図である。
【図３】  可撓性平型ケーブルとバスバーとの接続部の斜視図である。
【図４】  雄コネクタと雌コネクタの嵌合状態を示す断面図である。
【図５】  第２実施形態の雄コネクタを示す斜視図である。
【図６】  第２実施形態の雄コネクタと雌コネクタの嵌合状態を示す断面図である。
【図７】  従来例を示す図である。
【符号の説明】
Ｃ  可撓性平型ケーブル
Ｂ  バスバー
Ｂａ  接触部
１１、３１  防水コネクタ
１２、３２  雄コネクタ
１３、３３  雄ハウジング
１３ｂ  開口部
１４  接着剤
１５  蓋体
１７、３７  雌コネクタ
１８  雌ハウジング
１８ａ  当接片
２０  端子金具
２０ｂ  弾性接触片
２１、４１  防水用ゴムリング
【図１】
0003687548.tif 000002
【図２】
0003687548.tif 000003
【図３】
0003687548.tif 000004
【図４】
0003687548.tif 000005
【図５】
0003687548.tif 000006
【図６】
0003687548.tif 000007
【図７】
0003687548.tif 000008